(57)【要約】【課題】身飾部品の製造に際し、個別の抜き型刃の製作を不要とし、小ロット生産を低コストにて可能とする。【解決手段】昇華剤を塗布した耐熱性シートに分散性染料を用い、インクジェット式プリンタを用いるなどして所望のオリジナル柄を施して転写シートを得る工程と、該転写シートを８０μ以上の厚みを有するポリエステル系材料フィルム上に重ね合わせて熱圧着し、転写シートのオリジナル柄を材料フィルムに転写し、加工フィルムを得る工程と、該加工フィルムをカッティングプロッタあるいはレーザーカッターその他非接触切断手段により上記オリジナル柄に対応させつつ所望の形状・大きさの身飾部品にカットする工程とからなる。オーダーメイド等少ロット生産をおこなう場合、高付加価値オリジナルデザイン品を安価に提供することができる。【選択図】図１
2006027160.tif 000002
【特許請求の範囲】
【請求項１】
予め昇華剤を塗布した耐熱性シートに分散性染料インクを用い、所望のオリジナル柄を施して転写シートを得る工程と、該転写シートを材料フィルム上に重ね合わせて熱圧着し、転写シートの分散性染料インクを昇華剤と反応させつつオリジナル柄を材料フィルムに転写し、加工フィルムを得る工程と、該加工フィルムをカッティングプロッタ又はレーザカッターその他の非接触カッターにより上記オリジナル柄に対応させつつ所望の形状・大きさの身飾部品にカットする工程とからなる身飾部品の製造方法。
【請求項２】
予め昇華剤を塗布した耐熱性シートに分散性染料インクを用いて所望のオリジナル柄を施す手法が分散性染料インクを噴射するインクジェット式プリンタによるものであるところの請求項１に記載の身飾部品の製造方法。
【請求項３】
耐熱性シートが紙系であるところの請求項１に記載の身飾部品の製造方法。
【請求項４】
材料フィルムがポリエステル系の耐熱樹脂製であるところの請求項１に記載の身飾部品の製造方法。
【請求項５】
材料フィルムの厚みが８０μ以上であるところの請求項１に記載の身飾部品の製造方法。
【発明の詳細な説明】
【技術分野】
【０００１】
本発明は、例えば光輝性のスパンコール等のように洋服やドレスの絵柄その他の装飾を施すために用いられる身飾部品の製造方法に関し、とくに量産品ではなく、オーダーメイドや特殊なコーディネイトされた少ロットの高付加価値オリジナルデザイン品を安価に提供することができるようにすることを目的とする。
【背景技術】
【０００２】
スパンコール等身飾部品は、通常ある程度の厚みを有するポリエステルシート等に着色し、また必要に応じて例えば貝殻の虹模様等の模様を付したりした後、これをプレス機により打ち抜き用刃型を介して多数個同時打ち抜きにより製造するのが一般的である。  またポリ塩化ビニルフィルムに接着剤層を介して薄膜基材フィルム、着色層および金属蒸着層を備えた装飾フィルム層を積層させることにより、積層状態においては、金属蒸着層が２層の着色層で挟まれた中間側の層として配置され、適度の柔軟性と強度を有し、しかも縫製が可能としたスパンコール用フィルムも知られている（特許公開平７−３０８９８９号公報参照）。
【０００３】
さらに特殊なものとしては、スパンコール（シークィン）、ビーズ等の飾り片を磁性材料で構成し、これを布地に縫い込み、衣類に刺繍することにより、見栄えを良くするだけでなく、血行を良くすること等の健康促進をも目的としたものも知られている（特許公開平９−１９５１８５号公報参照）。
【特許文献１】特許公開平７−３０８９８９
【特許文献２】特許公開平９−１９５１８５
【発明の開示】
【発明が解決しようとする課題】
【０００４】
しかしながらこれまで汎用されてきたものは、量産性の身飾部品に関するものであり、オーダーメイドによる特殊な受注品の生産をおこなう場合においては、プレス機での型抜きのために個別に抜き型を成形する都合上著しいコストの上昇を免れない。  また特殊な飾り片を製作する特許文献２に記載のものにあっても、素材を磁性材料で構成する点を除いては上記一般的な身飾部品の製法と変わらない。
【課題を解決するための手段】
【０００５】
そこで本発明は上記した難点を解決し、オーダーメイドや特殊なコーディネイトされた少ロットの高付加価値オリジナルデザイン品を安価に提供することを可能としたものであって、具体的には、予め昇華剤を塗布した紙系の耐熱性シートに分散性染料インクを用い、所望のオリジナル柄を施して転写シートを得る工程と、該転写シートを厚みが８０μ以上のポリエステル系耐熱樹脂からなる材料フィルム上に重ね合わせて熱圧着し、転写シートの分散性染料インクを昇華剤と反応させつつオリジナル柄を材料フィルムに転写し、加工フィルムを得る工程と、該加工フィルムをカッティングプロッタ又はレーザカッターにより上記オリジナル柄に対応させつつ所望の形状・大きさの身飾部品にカットする工程とからなる身飾部品の製造方法に関する。
【発明の効果】
【０００６】
本発明は上記したとおり、予め昇華剤を塗布した紙系の耐熱性シートに分散性染料インクを用い、インクジェット式プリンタを用いるなどして所望のオリジナル柄を施して転写シートを得るために、これをポリエステル系耐熱樹脂からなる材料フィルム上に重ね合わせて熱圧着した場合に、予め塗布してある昇華剤に対する分散性染料インクの反応性がよく、しかも転写する材料フィルムがポリエステル系耐熱樹脂からなるものであるために、材料フィルムに対しても反応性が良好で、美麗な転写をおこなうことができる。
【０００７】
さらに転写後の加工フィルムをカッティングプロッタ又はレーザーカッターその他の非接触カッターにより上記オリジナル柄に対応させつつ所望の形状・大きさの身飾部品にカットするものであるために、オーダーメイド等、オリジナルデザインの少ロット生産をおこなう場合に、その都度プレス機にかけるための打ち抜き用刃型を製作する必要がないから、とくに量産品ではなく、オーダーメイドや特殊なコーディネイトされた少ロットの高付加価値オリジナルデザイン品を安価に提供することができる。
【発明を実施するための最良の形態】
【０００８】
以下において、本発明の具体的な内容を図１および図２の実施例をもとに説明すると、１は耐熱性シート、４は材料フィルム、５は材料フィルム４上に耐熱性シートを重ね、加熱・加圧して耐熱性シート１のオリジナル柄２を転写した加工フィルム、Ｐはインクジェット式プリンタ、ＳＰは熱圧着装置、ＣＰはカッティングプロッタをあらわしている。
【０００９】
耐熱性シート１は、あらかじめ昇華剤が全面に塗布されているとともに、分散性インクにより表現されたオリジナル柄２を担持し、材料フィルム４上に重ね、熱圧着した際に予め塗布されている昇華剤と反応して絵柄等を表現するオリジナル柄２の分散性染料が材料フィルム４に良好に転写できる機能を有するものであればよく、そのようなものとしては、紙系のものが最良である。
【００１０】
また材料フィルム４は、前記した耐熱性シート１からのオリジナル柄２の転写性に優れ、しかも最終加工された後においては、耐洗濯性その他必要強度を有し、スパンコール等の身飾用部品として十分に使用に耐える程度の材質および厚みを有する必要がある。  そのような材料としては、ポリエステル系の耐熱樹脂製であるのが理想的である。  また厚みが８０μ以上である必要がある。
【００１１】
転写シート３は、あらかじめ用意されたオリジナル柄２をもとに、インクジェット式プリンタＰなどを用い、分散性染料インクにより上記したあらかじめ昇華剤が全面に塗布されている耐熱性シート１に施すことによって得られる。  さらにこの転写シート３を材料フィルム４上に重ね合わせ、熱圧着装置ＳＰにより加熱・加圧して転写シート３が担持していた分散性染料インクによるオリジナル柄２を昇華剤と反応させつつポリエステル系耐熱樹脂の材料フィルム４上に転写して転写柄２ａを施し、表面の耐熱性シート１を剥離除去して表面に転写柄２ａが表された加工フィルム５が得られる。
【００１２】
さらに、得られた加工フィルム５をカッティングプロッタＣＰにかけ、あらかじめ設定されたプログラムに従って転写柄２ａに合わせて身飾部品６をカットして最終的な身飾部品６が得られる。  またここで得られるオリジナル柄の身飾部品６については図２に例示したように、一般にはみられない特異な形状や大きさ、あるいは絵柄、さらには複雑な形状のカットが可能である。
【００１３】
なおこの場合カッテイングプロッタＣＰによるカットの位置については、加工フィルム５に施された転写柄２ａに対応するべくあらかじめ設定しておくものとする。  またこの場合に使用されるカッテイングプロッタＣＰについては、例えば特開２００３−２２０５９４号公報や、特開２００１−２６００８４号公報に開示されたような、コンピュータを内臓し、もしくは外部コンピュータ装置と連繋した構造のものが使用可能である。
【００１４】
また、上記の実施例では身飾部品６のカット手段としてカッテイングプロッタＣＰを用いる場合について説明したが、このほかにもレーザー発信器を備え、加工フィルム５を切断し得る出力に調整されたレーザー光を発信させつつ、光学系によって切断部位に光を集束しつつ切断するレーザーカッター（例えば特許公表平８−５０８６８０に記載のもの）や、あるいはエレクトロンビームカッター、ソニックカッター、超音波カッター、その他のいくつかの非接触切断手段を用いることもできる。
【図面の簡単な説明】
【００１５】
【図１】本発明の一実施例である身飾部品の製造過程をあらわした概略図。
【図２】本発明方法により得られるオリジナル柄を施した身飾部品の参考例図。
【符号の説明】
【００１６】
１        耐熱性シート
２        オリジナル柄
２ａ      転写柄
３        転写シート
４        材料フィルム
５        加工フィルム
６        身飾部品
Ｐ        インクジェット式プリンタ
ＳＰ      熱圧着装置
ＣＰ      カッテイングプロッタ
【図１】
2006027160.tif 000003
【図２】
2006027160.tif 000004